(57)【特許請求の範囲】
【請求項１】
単数又は複数台の電子機器ユニットを収納可能な電子機器筐体に固定可能な電子機器ユニット収納構造において、前記電子機器ユニットの両側面及び背面の形状に合わせて板状体で構成されたユニット引出部材を設けてあり、前記ユニット引出部材の両側面に固定ガイドを設けてあるとともに、前記電子機器ユニットの両側面に可動ガイドを設けてあり、この可動ガイドが前記ユニット引出部材の両側面に設けた固定ガイドに沿って摺動自在に且つ前記電子機器ユニットが前記ユニット引出部材に嵌設可能に構成してあるとともに、前記ユニット引出部材の両側面の外側に板状体の筐体固定部材を設けてあり、前記ユニット引出部材に第二の固定ガイドを取り付けてあるとともに、前記筐体固定部材に第二の可動ガイドを設けてあり、この第二の可動ガイドが前記第二の固定ガイドに沿って摺動し、前記ユニット引出部材の前端部を前記筐体の正面に固定可能に構成してあるとともに、前記筐体固定部材の少なくとも一端を前記筐体に固定可能に構成してあることを特徴とする電子機器ユニット収納構造。
【請求項２】
前記ユニット引出部材に複数の前記固定ガイドを設け、一つのユニット引出部材に複数台の前記電子機器ユニットを収納自在に取り付けてあることを特徴とする請求項１記載の電子機器ユニット収納構造。
【請求項３】
前記ユニット引出部材の両側面にスリット状の前記固定ガイドを設けてあるとともに、前記電子機器ユニットの両側面にレール状の前記可動ガイドを設けてあり、前記可動ガイドは前記固定ガイドに沿って摺動するように構成してあることを特徴とする請求項１又は２記載の電子機器ユニット収納構造。
【請求項４】
前記筐体固定部材にスリット状の前記第二の可動ガイドを設け、前記筐体固定部材の外側に前記ユニット引出部材の第二の固定ガイドを設け、この第二の固定ガイドと前記ユニット引出部材とを、前記スリット状の第二の可動ガイドを介して螺設し、この螺設に用いたネジに案内されて前記筐体固定部材が移動するように構成してあることを特徴とする請求項１乃至３のいずれかに記載の電子機器ユニット収納構造。
【請求項５】
前記ユニット引出部材の前記第二の固定ガイド螺設用ネジ穴を複数箇所形成し、前記筐体の奥行又は前記筐体の構造に応じて前記第二の固定ガイドが螺設できるようにしてあることを特徴とする請求項４記載の電子機器ユニット収納構造。
【請求項６】
前記第二の固定ガイド螺設用ネジ穴を等間隔に複数箇所形成してあることを特徴とする請求項５記載の電子機器ユニット収納構造。
【請求項７】
前記ユニット引出部材の前端部に鍔を設け、この鍔を前記筐体の前端部に固定してあるとともに、前記筐体固定部材の一端に鍔を設け、この鍔を前記筐体に固定可能に構成してあることを特徴とする請求項１乃至６のいずれかに記載の電子機器ユニット収納構造。
【請求項８】
単数又は複数台の電子機器ユニットを収納可能な電子機器筐体において、前記電子機器ユニットの両側面及び背面の形状に合わせて板状体で構成されたユニット引出部材を設けてあり、前記ユニット引出部材の両側面に固定ガイドを設けてあるとともに、前記電子機器ユニットの両側面に可動ガイドを設けてあり、この可動ガイドが前記ユニット引出部材の両側面に設けた固定ガイドに沿って摺動自在に且つ前記電子機器ユニットが前記ユニット引出部材に嵌設可能に構成してあるとともに、前記ユニット引出部材の両側面の外側に板状体の筐体固定部材を設けてあり、前記ユニット引出部材に第二の固定ガイドを取り付けてあるとともに、前記筐体固定部材に第二の可動ガイドを設けてあり、この第二の可動ガイドが前記第二の固定ガイドに沿って摺動し、前記ユニット引出部材の前端部を前記筐体の正面に固定可能に構成してあるとともに、前記筐体固定部材の少なくとも一端を前記筐体に固定可能に構成してあることを特徴とする電子機器ユニット収納装置。
【請求項９】
前記ユニット引出部材に複数の前記固定ガイドを設け、一つのユニット引出部材に複数台の前記電子機器ユニットを収納自在に取り付けてあることを特徴とする請求項８記載の電子機器ユニット収納装置。
【請求項１０】
前記ユニット引出部材の両側面にスリット状の前記固定ガイドを設けてあり、この固定ガイドに沿って、前記電子機器ユニットに設けた可動ガイドが摺動するように構成してあることを特徴とする請求項８又は９記載の電子機器ユニット収納装置。
【請求項１１】
前記筐体固定部材にスリット状の前記第二の可動ガイドを設け、前記筐体固定部材の外側に前記ユニット引出部材の第二の固定ガイドを設け、この第二の固定ガイドと前記ユニット引出部材とを、前記スリット状の第二の可動ガイドを介して螺設し、この螺設に用いたネジに案内されて前記筐体固定部材が移動するように構成してあることを特徴とする請求項８乃至１０のいずれかに記載の電子機器ユニット収納装置。
【請求項１２】
前記ユニット引出部材の前記第二の固定ガイド螺設用ネジ穴を複数箇所形成し、前記筐体の奥行又は前記筐体の構造に応じて前記第二の固定ガイドが螺設できるようにしてあることを特徴とする請求項１１記載の電子機器ユニット収納装置。
【請求項１３】
前記第二の固定ガイド螺設用ネジ穴を等間隔に複数箇所形成してあることを特徴とする請求項１２記載の電子機器ユニット収納装置。
【請求項１４】
前記筐体固定部材の先端部を開放し、この先端部から前記ネジに案内されて前記筐体固定部材が移動するように構成してあることを特徴とする請求項１１乃至１３のいずれかに記載の電子機器ユニット収納装置。
【請求項１５】
前記ユニット引出部材の前端部に鍔を設け、この鍔を前記筐体の前端部に固定可能に構成してあるとともに、前記筐体固定部材の一端に鍔を設け、この鍔を前記筐体に固定可能に構成してあることを特徴とする請求項８乃至１４のいずれかに記載の電子機器ユニット収納装置。
【発明の詳細な説明】
【技術分野】
【０００１】
本発明は、単数又は複数台の電子機器ユニットを収納可能な電子機器筐体における電子機器ユニット収納構造及び電子機器ユニット収納装置に関するものである。
【背景技術】
【０００２】
従来の電子機器筐体における電子機器ユニット収納構造は、筐体の側壁内面に固定ガイドを設けるとともに、電子機器ユニットの側面に可動ガイドを設け、この可動ガイドを固定ガイドに摺動させることにより、電子機器ユニットを筐体から引出自在に構成していた（特許文献１参照）。
【０００３】
このような構成の場合、電子機器ユニットの幅はＥＩＡ（米国規格協会／電子工業会）規格やＪＩＳ（日本工業規格）で決められているが、奥行については規格はなく、電子機器ユニットの配線がユニットの背面に設けられていることから、筐体の裏面部にスペースを設けてあることが一般的である。
【０００４】
また、筐体の横梁に断面Ｌ字型のガイドレールが相対向して取り付けられ、ガイドレールの水平面に電子機器ユニットを載置し、電子機器ユニットをガイドレールにスライドさせて、電子機器ユニットを筐体内に収納するように構成されているものもある（特許文献２参照）。
【特許文献１】実開平５−５０７７８号公報
【特許文献２】実開平５−４６０８４号公報
【発明の開示】
【発明が解決しようとする課題】
【０００５】
しかし、前記収納構造は、断面Ｌ字型のガイドレールの水平面に電子機器ユニットを載置し、電子機器ユニットをガイドレールにスライドさせて、電子機器ユニットを筐体内に収納するため、ガイドレール分だけスペースが必要となるという課題が生じた。
【０００６】
本発明は、上記問題に鑑みてなされたものであり、電子機器ユニット搭載スペースを最大限に確保し、さらに、低コスト化を可能にした電子機器筐体における電子機器ユニット収納構造及び電子機器ユニット収納装置を提供する。
【課題を解決するための手段】
【０００７】
上記課題を解決するために、本発明に係る電子機器筐体における電子機器ユニット収納構造は、単数又は複数台の電子機器ユニットを収納可能な電子機器筐体に固定可能な電子機器ユニット収納構造において、前記電子機器ユニットの両側面及び背面の形状に合わせて板状体で構成されたユニット引出部材を設けてあり、前記ユニット引出部材の両側面に固定ガイドを設けてあるとともに、前記電子機器ユニットの両側面に可動ガイドを設けてあり、この可動ガイドが前記ユニット引出部材の両側面に設けた固定ガイドに沿って摺動自在に且つ前記電子機器ユニットが前記ユニット引出部材に嵌設可能に構成してあるとともに、前記ユニット引出部材の両側面の外側に板状体の筐体固定部材を設けてあり、前記ユニット引出部材に第二の固定ガイドを取り付けてあるとともに、前記筐体固定部材に第二の可動ガイドを設けてあり、この第二の可動ガイドが前記第二の固定ガイドに沿って摺動し、前記ユニット引出部材の前端部を前記筐体の正面に固定可能に構成してあるとともに、前記筐体固定部材の少なくとも一端を前記筐体に固定可能に構成してあることを特徴とする。
【０００８】
前記ユニット引出部材に複数の前記固定ガイドを設け、一つのユニット引出部材に複数台の前記電子機器ユニットを収納自在に取り付けてあることを特徴とする。
また、前記ユニット引出部材の両側面にスリット状の前記固定ガイドを設けてあるとともに、前記電子機器ユニットの両側面にレール状の前記可動ガイドを設けてあり、前記可動ガイドは前記固定ガイドに沿って摺動するように構成してあることを特徴とする。
【０００９】
前記筐体固定部材にスリット状の前記可動ガイドを設け、前記筐体固定部材の外側に前記ユニット引出部材の第二の固定ガイドを設け、この第二の固定ガイドと前記ユニット引出部材とを、前記スリット状の可動ガイドを介して螺設し、この螺設に用いたネジに案内されて前記筐体固定部材が移動するように構成してあることを特徴とする。
【００１０】
前記ユニット引出部材の前記第二の固定ガイド螺設用ネジ穴を複数箇所形成し、前記筐体の奥行又は前記筐体の構造に応じて前記第二の固定ガイドが螺設できるようにしてあることを特徴とする。
前記第二の固定ガイド螺設用ネジ穴を等間隔に複数箇所形成してあることを特徴とする。
前記ユニット引出部材の前端部に鍔を設け、この鍔を前記筐体の前端部に固定してあるとともに、前記筐体固定部材の一端に鍔を設け、この鍔を前記筐体に固定可能に構成してあることを特徴とする。
【００１１】
また、本発明に係る電子機器ユニット収納装置は、前記電子機器ユニットの両側面及び背面の形状に合わせて板状体で構成されたユニット引出部材を設けてあり、前記ユニット引出部材の両側面に固定ガイドを設けてあるとともに、前記電子機器ユニットの両側面に可動ガイドを設けてあり、この可動ガイドが前記ユニット引出部材の両側面に設けた固定ガイドに沿って摺動自在に且つ前記電子機器ユニットが前記ユニット引出部材に嵌設可能に構成してあるとともに、前記ユニット引出部材の両側面の外側に板状体の筐体固定部材を設けてあり、前記ユニット引出部材に第二の固定ガイドを取り付けてあるとともに、前記筐体固定部材に第二の可動ガイドを設けてあり、この第二の可動ガイドが前記第二の固定ガイドに沿って摺動し、前記ユニット引出部材の前端部を前記筐体の正面に固定可能に構成してあるとともに、前記筐体固定部材の少なくとも一端を前記筐体に固定可能に構成してあることを特徴とする。
【００１２】
前記ユニット引出部材に複数の前記固定ガイドを設け、一つのユニット引出部材に複数台の前記電子機器ユニットを収納自在に取り付けてあることを特徴とする。
前記ユニット引出部材の両側面にスリット状の前記固定ガイドを設けてあり、この固定ガイドに沿って、前記電子機器ユニットに設けた可動ガイドが摺動するように構成してあることを特徴とする。
【００１３】
前記筐体固定部材にスリット状の前記可動ガイドを設け、前記筐体固定部材の外側に前記ユニット引出部材の第二の固定ガイドを設け、この第二の固定ガイドと前記ユニット引出部材とを、前記スリット状の可動ガイドを介して螺設し、この螺設に用いたネジに案内されて前記筐体固定部材が移動するように構成してあることを特徴とする。
【００１４】
前記ユニット引出部材の前記第二の固定ガイド螺設用ネジ穴を複数箇所形成し、前記筐体の奥行又は前記筐体の構造に応じて前記第二の固定ガイドが螺設できるようにしてあることを特徴とする。
前記第二の固定ガイド螺設用ネジ穴を等間隔に複数箇所形成してあることを特徴とする。
前記筐体固定部材の先端部を開放し、この先端部から前記ネジに案内されて前記筐体固定部材が移動するように構成してあることを特徴とする。
前記ユニット引出部材の前端部に鍔を設け、この鍔を前記筐体の前端部に固定可能に構成してあるとともに、前記筐体固定部材の一端に鍔を設け、この鍔を前記筐体に固定可能に構成してあることを特徴とする。
【発明の効果】
【００１５】
本発明によれば、電子機器ユニットの両側面及び背面の形状に合わせて板状体で構成されたユニット引出部材を設けたことにより、従来の引出構造のようなガイドレールを必要とせず、電子機器ユニット搭載スペースを最大限に確保することができる効果がある。特に、本発明によれば、ユニット引出部材に複数の固定ガイドを設けることができ、特にこの場合、前記効果が顕著である。
【００１６】
また、本発明によれば、電子機器筐体の奥行に合わせて摺動させて筐体に固定する筐体固定部材を設けたことで、溶接やリベット止めを必要とせずに、電子機器ユニットの収納構造を提供することができる効果がある。
【００１７】
また、本発明に係る電子機器ユニット収納構造により、構造が簡単であるため、従来の電子機器筐体に取り付け可能であるという効果もある。
【発明を実施するための最良の形態】
【００１８】
発明を実施するための最良の形態を図１に示す。図１図示の電子機器筐体１は、正面２が開放してあり、開放部の両側縁には鍔５を設けてある。また、この電子機器筐体１は、電子機器ユニット１０並びに電子機器ユニット収納装置１００，１０１を複数収納することが可能である。
【００１９】
図２には、本発明に係る電子機器ユニットの一実施例を示す。この電子機器ユニット１０は、高さに対して幅及び奥行が広い構成になっている。この電子機器ユニット１０の正面１１の幅は電子機器ユニット１０本体の幅よりやや広く、両側には鍔１１Ａが設けられている。この電子機器ユニット１０の正面の幅は図１図示電子機器筐体１の正面２の左右に設けた鍔５の外側間の寸法とほぼ同じ広さになっており、電子機器ユニット１０の鍔１１Ａが電子機器筐体１に設けた前記鍔５と衝合可能な構成にしてある。電子機器ユニット１０の奥行は前記電子機器筐体１の奥行よりも狭くなっている。電子機器ユニット１０の両側面１３には可動ガイド１６を設けてある。この可動ガイド１６の具体的構成については後述する。
【００２０】
図３には、本発明に係る電子機器ユニット収納装置の一実施例を示す。この電子機器ユニット収納装置１００は、電子機器ユニット１０の両側面及び背面の形状に合わせて板状体で構成されたユニット引出部材２０と、このユニット引出部材２０の両側面の外側に設けた板状体の筐体固定部材３０とを有する。
【００２１】
本実施例に係るユニット引出部材２０は、１台の電子機器ユニット１０が嵌設可能に構成されている。また、このユニット引出部材２０の両側面２１に固定ガイド２６を設けてある。具体的には、固定ガイド２６はユニット引出部材２０の側面のほぼ中央をスリット状に形成してある。
【００２２】
電子機器ユニット１０には前記固定ガイドスリット２６に摺動する可動ガイドレール１６を設けてあるが、この可動ガイドレール１６は板状体を断面Ｌ字状にし、一面を電子機器ユニット１０の側面１３に接合し、他面をスリットに挿入してレールを構成し、可動ガイドレール１６が固定ガイドスリット２６に沿って摺動可能に構成してある。以上より、従来の電子機器筐体に本発明に係る電子機器ユニット収納装置１００を取り付けることができる。
【００２３】
ユニット引出部材２０の前端部に鍔２８を設けてある。この鍔２８の表面は電子機器ユニット１０の正面に設けた鍔１１Ａの裏面と衝合するように構成してある。また、ユニット引出部材２０の背面２２には電子機器ユニット１０と接続するコードの着脱が可能なスペースと電子機器ユニット１０の放熱が可能なスペースを設けてある。
【００２４】
本実施例に係る筐体固定部材３０は、ユニット引出部材２０の側面２１と同様の形状を有し、ユニット引出部材２０の可動ガイドスリット２６の形状に合わせて、筐体固定部材３０にもスリット３３を形成してある。また、筐体固定部材３０の短手方向の両縁とスリット３３との間に可動ガイド３１を設けてある。この可動ガイド３１はスリット状に形成してある。
【００２５】
筐体固定部材３０の一端に鍔３２を設けてある。本実施例では、鍔３２は電子機器ユニット収納装置１００の後端部に位置し、この鍔３２を電子機器筐体１に固定可能に構成してある。なお、本実施例では、鍔３２を電子機器ユニット収納装置１００の後端部に位置するように設けてあるが、前後が逆でもよい。この場合は鍔３２では電子機器筐体１の前部を固定するようになる。
【００２６】
本実施例では、筐体固定部材３０をユニット引出部材２０の側面２１と共に挟む第二の固定ガイド２７を設けてある。この第二の固定ガイド２７は板状体で構成し、この第二の固定ガイド２７の短手方向の長さは、筐体固定部材３０の短手方向の両縁とスリット３３との間の寸法とほぼ同じであり、第二の固定ガイド２７が筐体固定部材３０の短手方向の両縁とスリット３３との間にそれぞれ衝合可能に構成してある。
【００２７】
第二の固定ガイド２７の長手方向両側にはネジ穴２７１を形成してある。このネジ穴２７１は、筐体固定部材３０に衝合した際に、筐体固定部材３０の第二の可動ガイドスリット３１に衝合するようにしてあり、このネジ穴２７１にネジを挿入した際に、ネジが実質的な固定ガイドの役割を有するように構成してある。
【００２８】
ユニット引出部材２０の両側板２１とスリット３３との間にもネジ穴２９を形成してある。このネジ穴２９は第二の固定ガイド２７に設けた２箇所のネジ穴２７１の間隔と同間隔に設けてあり、これらが複数個有する。これにより、筐体固定部材３０を段階的に位置決めすることができる。以上のような構成より、第二の固定ガイド２７とユニット引出部材２０とを、筐体固定部材３０の第二の可動ガイドスリット３１を介して螺設し、この螺設に用いたネジに案内されて筐体固定部材３０が移動可能になる。
【００２９】
以上のように構成してある本実施例に係る電子機器ユニット収納構造の各部材を電子機器筐体１に組み込む。先ず、図３に示すように電子機器ユニット収納装置１００の第二の固定ガイド２７に螺設したネジを外して、第二の固定ガイド２７の位置決めをする。
【００３０】
本実施例においては、ユニット引出部材２０の側面２１の最も後部に形成したネジ穴２９に第二の固定ガイド２７に形成したネジ穴２７１とが衝合するように、第二の固定ガイド２７を位置決めし、第二の固定ガイド２７とユニット引出部材２０とを、筐体固定部材３０の第二の可動ガイドスリット３１を介して螺設する。これにより、この螺設に用いたネジに案内されて筐体固定部材３０がユニット引出部材２０及び第二の固定ガイド２７に摺動可能になり、電子機器筐体１の奥行に合わせて筐体固定部材３０を移動させることにより、電子機器ユニット収納装置１００は、図４に示した状態になる。
【００３１】
実際にこの電子機器ユニット収納装置１００を電子機器筐体１に収納する場合は、電子機器ユニット収納装置１００を電子機器筐体１内に収まった状態で、第二の固定ガイド２７の位置決めをしたネジに案内され、筐体固定部材３０をユニット引出部材２０及び第二の固定ガイド２７に摺動させて、筐体固定部材３０を電子機器筐体１の奥行に合わせて移動させ、第二の固定ガイド２７とユニット引出部材２０とを、筐体固定部材３０の第二の可動ガイドスリット３１を介して螺設したネジで筐体固定部材３０が動かなくなるように、強くネジ止めし、筐体固定部材３０に設けた鍔３２と電子機器筐体１の背面とを衝合して、鍔３２に設けたネジ穴３２１にネジを通して螺設して、電子機器ユニット収納装置１００を電子機器筐体１内に固定する。このとき電子機器ユニット収納装置１００の前部はユニット引出部材２０に設けた鍔２８により、電子機器筐体１の前部に設けた鍔５と衝合するため、電子機器ユニット収納装置１００を電子機器筐体１内に固定することができる。
【００３２】
続いて、図２に示す状態になった電子機器ユニット１０を電子機器筐体１に収納する。図５に示すように、電子機器ユニット１０に設けた可動ガイドレール１６を、ユニット引出部材２０に形成した固定ガイドスリット２６に挿入して、固定ガイドスリット２６の案内によって、電子機器ユニット１０を移動させる。
【００３３】
電子機器ユニット１０の背面１２がユニット引出部材２０の背面２２と衝合すると、図６に示すように、電子機器ユニット１０の前面１１に設けた鍔１１Ａとユニット引出部材２０の前端に設けた鍔２８とも衝合する。これら鍔１１Ａ，２８にはそれぞれネジ穴１１１，２８２を形成してあり、これらネジ穴１１１，２８２にネジ１７を挿入して螺設する。また、電子機器筐体１の鍔５及びユニット引出部材２０の前端に設けた鍔２８にはそれぞれネジ穴６，２８１を形成してあり、これらネジ穴６，２８１にネジ（図示しない）を挿入して螺設することにより、図１に示すように、電子機器ユニット１０は電子機器筐体１内に固定された状態で収納される。
【００３４】
電子機器ユニット１０を電子機器筐体１から取り外したい場合は、電子機器ユニット１０を電子機器筐体内に収納する場合と逆の手順で行えばよい。
【００３５】
続いて、前記実施例の第一変形例を図７及び図８に示す。なお、前記実施例と同様の機能を有する部材については、前記実施例に付した符号と同じ符号を付している。図７に示す電子機器ユニット収納装置１０１は、ユニット引出部材２０に複数の固定ガイドスリット２６を設け、一つのユニット引出部材２０に複数台の電子機器ユニット１０を収納自在に取り付けてあることを特徴とする。
【００３６】
本実施例に係る電子機器ユニット収納装置１０１は、５台の電子機器ユニット１０を収納自在に取り付けてある。そのため、ユニット引出部材２０の高さは前記実施例の略５倍になっているが、ユニット引出部材２０のその他の構成については、前記実施例とほぼ同様であるため、説明を省略する。
【００３７】
筐体固定部材３０については、一番下の電子機器ユニット収納部分と下から３番目の電子機器ユニット収納部分に位置するようにしてあり、前記実施例と同様に、ユニット引出部材２０の固定ガイドスリット２６の形状に合わせて、筐体固定部材３０にもスリット３３を形成してある。また、筐体固定部材３０の短手方向の両縁とスリット３３との間に第二の可動ガイドスリット３１を設けてある。
【００３８】
筐体固定部材３０の一端に鍔３２を設けてある。本実施例では、鍔３２は電子機器ユニット収納装置１００の後端部に位置し、この鍔３２を電子機器筐体１に固定可能に構成してある。なお、本実施例では、鍔３２は２つの筐体固定部材３０と一体整形になっている。なお、筐体固定部材３０のその他の構成については、前記実施例とほぼ同様であるため、説明を省略する。
【００３９】
なお、本実施例に係る電子機器ユニット収納構造の各部材を電子機器筐体１に組み込む手順は、前記実施例とほぼ同様であるため、説明を省略する。
【００４０】
なお、本発明は前記実施例に限定されるものではなく、特許請求の範囲に記載されている内容はすべて本発明の技術的範囲に属する。例えば、本実施例では、ユニット引出部材２０の固定ガイド２６をスリット状に、電子機器ユニット１０の可動ガイド１６をレール状に構成してあるが、これらが逆であってもよい。また、図７及び図８図示の電子機器ユニット収納装置１０１の固定ガイドスリット２６間を等間隔に形成してあるが、電子機器ユニット１０の高さは同じであるとは限らないため、必ずしもその必要はなく、電子機器ユニット１０の大きさに応じて構成することも可能である。
【００４１】
また、可動ガイドレール１６を電子機器ユニット１０に接合してあるが、ネジ止めなども可能である。また、前述したように、可動ガイドレール１６及び電子機器ユニット収納装置１００，１０１は電子機器筐体１並びに電子機器ユニット１０と別に設けることが可能であるため、従来の電子機器筐体に取り付けることが可能である。
【００４２】
図９には、本発明に係る電子機器ユニットの第二変形例を示す。この電子機器ユニット１０は、筐体固定部材３００に特徴を有する。本変形例に係る筐体固定部材３００は、ユニット引出部材２０の側面２１と同様の形状を有し、ユニット引出部材２０の可動ガイドスリット２６の形状に合わせて、筐体固定部材３００にもスリット３３を形成してある。また、筐体固定部材３００の短手方向の両縁とスリット３３との間に可動ガイド３１を設けてある。この可動ガイド３１はスリット状に形成してある。また、本変形例では、第二の可動ガイドスリット３１の先端部３１１は開放してある。その他の構成については、図３図示の筐体固定部材３０とほぼ同様であるため、説明を省略する。
【００４３】
本実施例では、筐体固定部材３００をユニット引出部材２０の側面２１と共に挟む板状体の第二の固定ガイド２７を設けてある。第二の固定ガイド２７の長手方向両側にはネジ穴２７１を形成してある。このネジ穴２７１はネジを挿入した際に、ネジが実質的な固定ガイドの役割を有するように構成してある。筐体固定部材３００の先端部３１１から、この螺設に用いたネジに案内されることにより、筐体固定部材３０がユニット引出部材２０及び第二の固定ガイド２７に摺動可能になり、電子機器筐体１の奥行に合わせて筐体固定部材３０を移動させることにより、電子機器ユニット収納装置１００は、図１０に示した状態になる。
【００４４】
続いて、前記実施例の第三変形例を図１１に示す。図１１に示す電子機器ユニット収納装置１０１は、第一変形例と同様に、ユニット引出部材２０に複数の固定ガイドスリット２６を設け、一つのユニット引出部材２０に複数台の電子機器ユニット１０を収納自在に取り付けてあることと、図９に示した第二変形例と同様に、この電子機器ユニット１０は、筐体固定部材３００における第二の可動ガイドスリット３１の先端部３１１は開放してあることに特徴を有する。その他については前記変形例と同様であるため、説明を省略する。
【産業上の利用可能性】
【００４５】
本発明によれば、電子機器ユニットの両側面及び背面の形状に合わせて板状体で構成されたユニット引出部材を設けたことにより、従来の引出構造のようなガイドレールを必要とせず、電子機器ユニット搭載スペースを最大限に確保することができ、産業上利用可能性がある。特に、本発明によれば、ユニット引出部材に複数の固定ガイドを設けることができ、特にこの場合、顕著である。
【００４６】
また、本発明によれば、電子機器筐体の奥行に合わせて摺動させて筐体に固定する筐体固定部材を設けたことで、溶接やリベット止めを必要とせずに、電子機器ユニットの収納構造を提供することができ、産業上利用可能性がある。
【００４７】
また、本発明に係る電子機器ユニット収納構造により、構造が簡単であるため、従来の電子機器筐体に取り付け可能であり、産業上利用可能性がある。
【図面の簡単な説明】
【００４８】
【図１】本発明に係る電子機器筐体の一実施例を示す斜視図である。
【図２】本発明に係る電子機器ユニットの一実施例を示す斜視図である。
【図３】本発明に係る電子機器ユニット収納装置の一実施例を示す斜視図である。
【図４】同じく図３図示電子機器ユニット収納装置の斜視図である。
【図５】図３図示電子機器ユニット収納装置に図２図示電子機器ユニットを嵌設した状態を示す斜視図である。
【図６】図５図示電子機器ユニットを嵌設した電子機器ユニット収納装置を電子機器筐体に収納した状態を示す斜視図である。
【図７】本発明に係る電子機器ユニット収納装置の第一変形例を示す斜視図である。
【図８】図７図示電子機器ユニット収納装置に電子機器ユニットを収納した状態を示す斜視図である。
【図９】本発明に係る電子機器ユニット収納装置の第二変形例を示す斜視図である。
【図１０】同じく図９図示電子機器ユニット収納装置の斜視図である。
【図１１】本発明に係る電子機器ユニット収納装置の第三変形例を示す斜視図である。
【符号の説明】
【００４９】
１  筐体
２  筐体１の正面
３  筐体１の背面
４  筐体１の側面
５  鍔
６  ネジ穴
１０  電子機器ユニット
１１  電子機器ユニット１０の正面
１１Ａ  電子機器ユニット１０の正面１１の鍔
１２  電子機器ユニット１０の背面
１３  電子機器ユニット１０の側面
１６  可動ガイドレール
１７  ネジ
１００，１０１，１０２，１０３  電子機器ユニット収納装置
１１１  鍔１１Ａのネジ穴
２０  ユニット引出部材
２１  ユニット引出部材２０の側板
２２  ユニット引出部材２０の背板
２６  固定ガイドスリット
２７  第二の固定ガイド
２７１  第二の固定ガイド２７のネジ穴
２８  鍔
２８１，２８２  鍔２８のネジ穴
２９  ユニット引出部材２０のネジ穴
３０，３００  筐体固定部材
３１  第二の可動ガイドスリット
３１１  第二の可動ガイドスリット３１の先端部
３２  鍔
３２１  鍔３２のネジ穴
３３  スリット
【図１】
0004606265.tif 000002
【図２】
0004606265.tif 000003
【図３】
0004606265.tif 000004
【図４】
0004606265.tif 000005
【図５】
0004606265.tif 000006
【図６】
0004606265.tif 000007
【図７】
0004606265.tif 000008
【図８】
0004606265.tif 000009
【図９】
0004606265.tif 000010
【図１０】
0004606265.tif 000011
【図１１】
0004606265.tif 000012